(57)【要約】【課題】飲料パックを、飲料容器内の合理的位置に保持すると共に、いつ何時でも確実に飲料容器から取出すことができる飲料パック位置保持装置等を提供する。【解決手段】本発明に係る飲料パック位置保持装置は、掛止部２と、垂下部３と、取付部４とから構成される。この飲料パック位置保持装置では、被浸潤物が収容された飲料パックＰが、取付部４により、垂下部３に対して着脱自在に取り付けられている。この飲料パック位置保持装置を飲料容器Ｂに取り付けると、掛止部２が飲料容器Ｂの口部５の上端縁６の全面に掛止されて、この掛止部２から垂下された飲料パックＰが、飲料容器Ｂ内の液体の液面から所定距離下方に位置させられる。これにより、飲料パックＰが飲料容器Ｂの底に沈んで飲料容器Ｂから取り出せなくなるのが防止される。【選択図】図２
2004267668.tif 000002
【特許請求の範囲】
【請求項１】
飲料容器の口部の上端縁で掛止される掛止部と、
前記掛止部から被浸潤物が封入された飲料パックを垂下する垂下部と、
前記飲料パックを前記垂下部に取り付ける取付部と
を有することを特徴とする飲料パック位置保持装置。
【請求項２】
前記掛止部には、当該掛止部の上方と下方とを連通する開口が設けられていることを特徴とする請求項１に記載の飲料パック位置保持装置。
【請求項３】
飲料容器の口部を開閉するキャップ部と、
前記キャップ部と一体に形成されており、被浸潤物が封入された飲料パックを垂下する垂下部と、
前記飲料パックを前記垂下部に取り付ける取付部と
を有することを特徴とする飲料パック位置保持装置を備えた飲料容器用キャップ。
【請求項４】
前記キャップ部の上側の外周には螺合溝が設けられており、前記キャップ部の天板部には、前記キャップ部の内部と外部とを連通する開口がさらに設けられていることを特徴とする請求項３に記載の飲料容器用キャップ。
【請求項５】
被浸潤物が封入された風袋部と、
飲料容器の口部の上端縁で掛止される掛止部と、
前記風袋部を前記掛止部から垂下する垂下部と、
前記風袋部を前記垂下部に取り付ける取付部と
を有することを特徴とする飲料パック位置保持装置を備えた飲料パック。
【請求項６】
被浸潤物が載置されると共に、飲料容器に充填される液体が注がれる載置部と、
前記載置部の下端に設けられており、前記飲料容器の口部に設けられた螺合溝に螺合して、前記載置部を前記飲料容器の口部に取り付けると共に前記載置部と前記飲料容器とを連通させる取付部と、
前記取付部に設けられており、前記載置部が前記飲料容器の口部に取り付けられた際に前記飲料容器と外部とを連通させる連通孔と
から構成されることを特徴とする飲料容器用簡易ドリップ。
【請求項７】
被浸潤物が載置されると共に、飲料容器に充填される液体が注がれる載置部と、
前記飲料容器の口部の上端縁の全面で掛止される掛止部と、
前記載置部の下端に設けられており、前記掛止部に設けられた螺合溝に螺合して、前記載置部を前記掛止部に取り付けると共に前記載置部と前記飲料容器とを連通させる取付部と、
前記取付部と前記掛止部の少なくとも一方に設けられており、前記載置部が取り付けられた前記掛止部が前記飲料容器に掛止された際に、前記飲料容器と外部とを連通させる連通孔と
から構成されることを特徴とする飲料容器用簡易ドリップ。
【請求項８】
飲料容器用簡易ドリップを備えた飲料容器であって、
被浸潤物が載置される載置部、前記載置部の下端に設けられており、飲料容器の口部に設けられた螺合溝に螺合して、前記載置部を前記口部に取り付けると共に前記載置部と前記飲料容器とを連通させる取付部、及び前記取付部に設けられており、前記載置部が前記飲料容器の口部に取り付けられた際に、前記飲料容器と外部とを連通させる連通孔を含む飲料容器用簡易ドリップと、
前記飲料容器用簡易ドリップを内側に収容した状態で、前記飲料容器の外周に設けられた螺合溝に螺合固定される収容部と
を備えたことを特徴とする飲料容器用簡易ドリップを備えた飲料容器。
【発明の詳細な説明】
【０００１】
【発明の属する技術分野】
本発明は、内容物が封入された飲料パックを飲料容器内の所定の位置に保持させる飲料パック位置保持装置、当該飲料パック位置保持装置を備えた飲料パック及び飲料容器用キャップに関するものである。
さらに本発明は、被浸潤物から、当該被浸潤物の成分（養分）を取り出した液体や被浸潤物により所望の処理が施された液体からなる飲料を、簡便に抽出することのできる飲料容器用簡易ドリップ及び当該飲料容器用簡易ドリップを備えた飲料容器に関するものである。
【従来の技術】
例えば、茶、紅茶、コーヒー等に代表される嗜好飲料を簡単に嗜む方法として茶、紅茶、コーヒー等の内容物を封入した飲料パックを、お湯や水等の液体に浸漬して若しくは沸騰水中で煮出して（煎じて）、茶、紅茶、コーヒー等の内容物の成分（養分）を液体中に抽出して作成した嗜好飲料を嗜む方法がある。
【０００２】
飲料パックに封入された内容物から成分（養分）を抽出して所望の成分を含む飲料を作成する為に、飲料パックをお湯や水等の飲料容器内の液体に浸すと、液体が内容物へ浸透する結果、飲料パックが重くなり、飲料パックが飲料容器の底部に沈降してしまうことがある。
飲料パックが飲料容器の底に沈降すると、抽出された内容物の成分（養分）が飲料容器内に均一に拡散せずに飲料容器の下方に集中してしまう場合や、飲料パックを飲料容器から容易に取り出すことができずに成分（養分）が過剰に液体中に抽出されてしまう場合があり、液体、すなわち飲料の風味が損なわれてしまうことがあった。
【０００３】
【特許文献１】
特開２０００−４１８５７号公報（段落［００１１］〜段落［００１４］、第１図、第４図）
【０００４】
この特許文献１には、棒状に形成された飲料パックが開示されており、この飲料パックの上端側を、キャップと飲料容器の口部との間で挟み込むことで、飲料パックの飲料容器内への沈降を防止すると共に、飲料パックを飲料容器内の所定の位置に配置させている。
【０００５】
【発明が解決しようとする課題】
しかしながら、この特許文献１に開示された飲料パックの場合、飲料パックの上端側は、キャップと飲料容器の口部とにそれぞれ設けられた螺合溝の間に挟まれた状態となるので、キャップの開閉を繰り返すと、その際の摩擦により、飲料パックが摩耗して破れてしまうことがある。
よって、このような問題や前述の問題を生ずること無しに、飲料容器内の飲料パック等を簡便で容易に、飲料容器内の合理的位置に保持したり、いつ何時でも確実に取出すことができる技術、装置の創出に対する要求が潜在的に存在している。
【０００６】
【課題を解決するための手段】
本発明は、このような要求を満たすために為されたものである。すなわち、本発明は、飲料容器の口部の上端縁で掛止される掛止部と、前記掛止部から被浸潤物が封入された飲料パックを垂下する垂下部と、前記飲料パックを前記垂下部に取り付ける取付部とを有する飲料パック位置保持装置に関するものである。
【０００７】
この飲料パック位置保持装置では、掛止部は、飲料容器の口部の内径より大きく、かつ外径より小さい直径の円盤であることが好ましい。
【０００８】
このような構成の飲料パック位置保持装置によると、被浸潤物が封入された飲料パックが、飲料容器の口部から所定距離下方側に位置するので、被浸潤物から抽出された養分（成分）が、飲料容器内の液の上方から下方に向かって徐々に均一に拡散する。その結果、抽出される被浸潤物の養分が飲料容器の下方に集中することがない。
【０００９】
さらに、掛止部が飲料容器の口部の上端縁、特に、掛止部が円盤である場合には口部の上端縁の全面で掛止されるので、この掛止部から垂下部及び取付部を介して垂下される飲料パックが飲料容器の底に沈むことがない。よって、被浸潤物の成分（養分）の抽出等が終了した後に、飲料パックを飲料容器から容易且つ確実にいつ何時でも取り出すことができるので、内容物の成分（養分）が液体中に過剰に抽出されて、作成された飲料の風味を損なうことが無くなる。
【００１０】
また、この飲料パック位置保持装置では、種々の飲料パックが取付部を介して着脱自在となるので、飲料パック位置保持装置を繰り返して利用することが可能となる。
【００１１】
なお、前記掛止部には、当該掛止部の上方と下方とを連通する開口が設けられていることが好ましい。
これにより、飲料パック位置保持装置を飲料容器から取り外すこと無しに、飲料容器内の液体を取り出すことができる。
よって、飲料容器内の液体に抽出される非浸潤物の成分の濃度を所望の状態に調整することが可能となり、複数回使用する飲料パックの合理的利用が容易となる。
【００１２】
また、本発明は、飲料容器の口部を開閉するキャップ部と、前記キャップ部と一体に形成されており、被浸潤物が封入された飲料パックを垂下する垂下部と、前記飲料パックを前記垂下部に取り付ける取付部とを有する飲料パック位置保持装置を備えた飲料容器用キャップに関するものである。
【００１３】
このような構成の飲料容器用キャップによると、飲料容器内に飲料パックを保持させたままで、飲料容器に蓋をすることができるので、前述の飲料パック位置保持装置と同様の作用・効果に加えて、飲料容器内の飲料の保存性や持ち運び性が向上する。
【００１４】
尚、キャップの規格が統一されている場合、例えばペットボトルである場合、ペットボトル用の口部のサイズ（径、螺合溝等）の規格は、統一されているのでペットボトルの容量や形を問わず、この飲料容器用キャップで、内容物の成分（養分）が抽出された飲料を容易に作成し、提供することができる。
【００１５】
ここで、前記飲料容器用キャップの上側の外周には螺合溝が設けられており、前記飲料容器用キャップの天板部には、前記飲料容器用キャップの内側と外部とを連通する開口がさらに設けられていることが好ましい。
【００１６】
このような構成の飲料容器用キャップによると、複数回使用する飲料パックの合理的利用が容易となる。すなわち飲料容器から飲料パックを取り出すこと無しに、飲料容器内の液体、嗜好飲料を飲料容器から容易に取り出し、嗜むことができる。
【００１７】
また、本発明は、被浸潤物が載置されると共に、飲料容器に充填される液体が注がれる載置部と、前記載置部の下端に設けられており、前記飲料容器の口部に設けられた螺合溝に螺合して、前記載置部を前記口部に取り付けると共に前記載置部と前記飲料容器とを連通させる取付部と、前記取付部に設けられており、前記載置部が前記口部に取り付けられた際に前記飲料容器と外部とを連通させる連通孔と、から構成される飲料容器用簡易ドリップに関するものである。
【００１８】
このような構成の飲料容器用簡易ドリップによると、被浸潤物を載置部に載置して、そこに飲料容器に充填される液体を注ぐと、被浸潤物から成分（養分）が抽出された液体や、被浸潤物により所望の処理が施された液体が、飲料容器内に充填される。
特に、取付部は、飲料容器の口部に螺合固定されるので、飲料容器用簡易ドリップは、設置安定性を持って飲料容器に接続される。これにより、充填される液体を、飲料容器の外部にこぼすこと無しに、飲料容器内へ容易に充填できる。
【００１９】
尚、飲料容器の規格が統一されている場合、例えばペットボトルである場合、ペットボトル用の口部のサイズ（径、螺合溝等）の規格は、統一されているのでペットボトルの容量や形を問わず、本発明に係る飲料容器用簡易ドリップを使用することができる。
【００２０】
また、本発明は、被浸潤物が載置されると共に、飲料容器に充填される液体が注がれる載置部と、前記飲料容器の口部の上端縁の全面で掛止される掛止部と、前記載置部の下端に設けられており、掛止部に設けられた螺合溝に螺合して、前記載置部を前記掛止部に取り付けると共に前記載置部と前記飲料容器とを連通させる取付部と、前記取付部と前記掛止部の少なくとも一方に設けられており、前記載置部が取り付けられた掛止部が前記飲料容器に掛止された際に、前記飲料容器と外部とを連通させる連通孔とから構成される飲料容器用簡易ドリップに関するものである。
【００２１】
このような構成の飲料容器用簡易ドリップによると、被浸潤物を載置部に載置して、そこに飲料容器に充填される液体を注ぐと、被浸潤物から成分（養分）が抽出された液体や、被浸潤物により所望の処理が施された液体が調整される。この時、掛止部は飲料容器の口部の上端縁の全面で掛止されているので、調整された液体が、飲料容器内に充填される。
【００２２】
また、本発明は、飲料容器用簡易ドリップを備えた飲料容器であって、被浸潤物が載置される載置部、前記載置部の下端に設けられており、飲料容器の口部に設けられた螺合溝に螺合して、前記載置部を前記口部に取り付けると共に前記載置部と前記飲料容器とを連通させる取付部、及び前記取付部に設けられており、前記載置部が前記口部に取り付けられた際に、前記飲料容器と外部とを連通させる連通孔を含む飲料容器用簡易ドリップと、前記飲料容器用簡易ドリップを内側に収容した状態で、前記飲料容器の外周に設けられた螺合溝に螺合固定される収容部とを備えた飲料容器用簡易ドリップを備えた飲料容器に関するものである。
【００２３】
このような構成の飲料容器用簡易ドリップを備えた飲料容器では、飲料容器用簡易ドリップを飲料容器に螺合固定し、被浸潤物を載置部に載置して、液体を注ぐと、被浸潤物から成分（養分）が抽出された液体や、被浸潤物により所望の処理が施された液体が調整され、飲料容器内に充填される。
一方、飲料容器用簡易ドリップを使用しない時には、飲料容器用簡易ドリップを内側に収容した状態で、収容部を飲料容器に螺合固定することができるので、飲料容器の持ち運びが簡便になる。その結果、好きな時に好きな場所で、所望の成分を含んだ液体、すなわち飲料を作成し、そして嗜むことができる。
【００２４】
なお、前述の被浸潤物は、茶、紅茶、コーヒー、漢方薬、果汁粉末、スポーツドリンク粉末等に限定されるものではなく、浄水作用、清水作用、活水作用のある炭、活性炭、磁石、セラミックス等も、この被浸潤物に含まれるものとする。このような構成とすることにより、嗜好飲料のみ成らず、健康飲料など、所望の飲料を調整し、提供することが可能となる。
【００２５】
【発明の実施の形態】
以下添付図面を参照しながら、本発明の好ましい実施態様について説明する。尚、以下の説明において、被浸潤物とは、茶、紅茶、コーヒー、漢方薬、果汁粉末、スポーツドリンク粉末等に限定されるものではなく、浄水作用、清水作用、活水作用のある炭、活性炭、磁石、セラミックス等も、この被浸潤物に含まれるものとする。
また、「所望の液体の調整」とは、例えば、被浸潤物が、茶、紅茶、コーヒーである場合には、これらの成分（養分）を液体中に抽出することをいい、漢方薬の場合には、漢方薬が溶解（分散）された液体を調整することをいい、炭や活性炭、磁石、セラミックスなどの場合には、浄水処理や整水処理、活水処理を施した液体を調整することをいう。
【００２６】
［飲料パック位置保持装置］
はじめに、本発明に係る飲料パック位置保持装置及びこれを備えた飲料パックの好ましい一実施態様について説明する。
図１（ａ）は、本実施の形態における飲料パック位置保持装置の説明図、図１（ｂ）は、本実施の形態における飲料パック位置保持装置に飲料パックＰを取り付けた状態を表す説明図である。図２（ａ）及び図２（ｂ）は、本実施の形態における飲料パック位置保持装置を備えた飲料パックの使用状態を説明する説明図である。
【００２７】
図１に示すように、本実施の形態における飲料パック位置保持装置１は、掛止部２と、垂下部３と、取付部４とから構成される。
【００２８】
掛止部２は、この掛止部２に垂下された飲料パックＰが、飲料容器Ｂの底に沈んで飲料容器Ｂから取り出せなくなるのを防止するために、飲料容器Ｂの口部５の上端縁６の全面に掛止される（図２（ａ）、（ｂ）参照）。
【００２９】
この掛止部２は、飲料容器Ｂの口部５の断面形状と略同一の形状、すなわち、薄肉の円盤形状を有しており、この掛止部２の直径Ｄは、飲料容器Ｂの口部５内にこの掛止部２が落ちることのない直径、すなわち、口部５の開口部７の直径Ｗよりも大きく設定されている。
尚、本実施の形態では、掛止部２を口部５に載置させた状態で飲料容器Ｂのキャップ９を閉めることができるように、掛止部２の直径Ｄは、飲料容器Ｂの口部５の開口部７の直径Ｗよりも大きくて、口部５の上端縁６の外径Ｘより小さく設定されている。
【００３０】
垂下部３は、飲料パックＰが飲料容器Ｂ内の液体の液面から所定距離下方に位置するように、飲料パックＰを掛止部２から垂下する（図２（ｂ）参照）。
【００３１】
本実施の形態では、この垂下部３として、糸を使用している。
この垂下部３の一端は、掛止部２の略中央部に固定されており、他端は、飲料パックＰを取り付ける取付部４と接続されている。
【００３２】
この垂下部３の長さは、飲料パック位置保持装置１が飲料容器Ｂに取り付けられた際に、飲料パックＰが、前記飲料容器Ｂ内の液体の液面から所定距離下方に位置する長さに設定されている。
尚、ここでいう所定距離とは、飲料パックＰが飲料容器Ｂ内の液体に浸かる距離をいう
【００３３】
取付部４は、被浸潤物Ｃが収容された飲料パックＰを、垂下部３に対して着脱自在に取り付ける。
【００３４】
本実施の形態では、この取付部４として鰐口クリップを用いている。この取付部４は、飲料パックＰを垂下部３に対して着脱自在に取り付けられるものであれば良く、例えば、フックやクリップも利用可能である。
【００３５】
飲料パック位置保持装置１を構成する各部（掛止部２、垂下部３、取付部４）の素材は、ＰＥＴ、ポリスチレン等の各種樹脂材料や、鉄、アルミニウム、ステンレス等の各種金属材料、そして耐水処理の施された紙等、耐水性、耐熱性に優れた材料で、飲料用の液体と接しても人体に影響を与えることの無い素材で構成されていれば適宜選択可能である。
【００３６】
このような構成の飲料パック位置保持装置１に、被浸潤物Ｃが収容された飲料パックＰを取り付け、飲料パックＰが取り付けられた飲料パック位置保持装置１を飲料容器Ｂにセットすると、掛止部２が飲料容器Ｂの口部５の上端縁６に掛止されるので、飲料パックＰが飲料容器Ｂ内の液体の液面から所定距離下方に位置させられる。
【００３７】
特に、飲料容器Ｂの口部５の形状が円形であり、掛止部２が円盤である場合、本実施の形態では、掛止部２である円盤の直径は、口部５の内径よりも大きく、かつ外径よりも小さく設定されているので、直径の大きな円は直径の小さな円を決して通り抜けることができないという円形の幾何学的特性から、飲料パック位置保持装置１は飲料容器Ｂ内に決して落ち込むことが無い。
よって、掛止部２から垂下された飲料パックＰを、簡便で容易に飲料容器内の合理的位置に保持したり、いつ何時でも確実に取り出すことができる。
【００３８】
その結果、被浸潤物Ｃから抽出された成分（養分）が、飲料容器Ｂ内の液の上方から下方に向かって徐々に均一に拡散するので、抽出される被浸潤物Ｃの成分（養分）が飲料容器Ｂの下方に集中しない。
【００３９】
さらに、被浸潤物Ｃの成分（養分）の抽出等が終了した後に、飲料パックＰを飲料容器Ｂから容易に確実に取り出すことができるので、被浸潤物Ｃの成分（養分）が液体中に過剰に抽出されて、作成された飲料、すなわち嗜好飲料の風味が損なわれることが無くなる。
【００４０】
ここで、本実施の形態における飲料パック位置保持装置１において好適に使用できる飲料パックＰは、飲料パックＰの一つ一つが個別に提供された飲料パックＰであっても良いが、図３に示すように、複数の飲料パックが連なった状態で提供された飲料パックＰであっても良い。
このような飲料パックの場合、飲料容器Ｂ内の液体に浸す飲料パックＰの数を調節できるので、飲料容器Ｂ内の液体に一度に浸す飲料パックＰの数を増減させることで、飲料容器Ｂ内の液体の濃度を所望の状態に調整することが可能となる。
【００４１】
次に、本発明に係る飲料パック位置保持装置の他の態様を説明する。
図４（ａ）は、本実施の形態における飲料パック位置保持装置１０の説明図、図４（ｂ）は、本実施の形態における飲料パック位置保持装置１０の上面図、図４（ｃ）は、本実施の形態における飲料パック位置保持装置１０の使用状態を説明する説明図である。
【００４２】
図４（ａ）に示すように、本実施の形態における飲料パック位置保持装置１０は、掛止部１２と、垂下部１３と、取付部１４とから構成される。
【００４３】
掛止部１２は、前述の飲料パック位置保持装置１の掛止部２と略同一の形状、すなわち、薄肉の円盤形状を有している。そして、この掛止部１２には、掛止部１２の上部と下部を連通する開口１５が設けられている。
【００４４】
垂下部１３は、薄肉の板状体であり、掛止部１２に対して垂設されている。この垂下部１３の長手方向の両側には、欠き込み部１６がそれぞれ設けられている。
この垂下部１３の上側の幅方向の長さＷ１は、本実施の形態における飲料パック位置保持装置１０が飲料容器Ｂの口部５から容易に外れることのないように、口部５の開口部７の内径Ｗと略同じに設定されている。
【００４５】
取付部１４は、この垂下部１３下端側の側面から略中央部に及んで設けられた切込みである。
【００４６】
このような構成の飲料パック位置保持装置１０では、飲料パックＰに付属する糸を、取付部１４である切込みに係止させるだけで、飲料パックＰを飲料パック位置保持装置１０に取り付けることができる。
また、垂下部１３には、欠き込み部１６が設けられているので、飲料パックＰの糸をこの欠き込み部１６に巻き付けることで、飲料パックＰの糸の長さを所望の長さに調節できる。よって、飲料容器Ｂ内における飲料パックＰの位置を調節することができる。
【００４７】
また、飲料パック位置保持装置１０は、飲料パックＰを取り付けた後に、垂下部１３を飲料容器Ｂの口部５の開口７に挿入することで、飲料容器Ｂに簡単に取り付けられる。
この際、掛止部１２の外径が飲料容器Ｂの口部５の開口７の内径よりも大きく設定されているので、掛止部１２は口部５の上端縁６に掛止される。
よって、掛止部１２から垂下された飲料パックＰが、飲料容器Ｂ内に落ち込むこと無しに、飲料容器内の合理的位置に簡便かつ容易に保持される。その結果、被浸潤物Ｃから抽出された成分（養分）が、飲料容器Ｂ内の液の上方から下方に向かって徐々に均一に拡散し、抽出される被浸潤物Ｃの成分（養分）が飲料容器Ｂの下方に集中することが防止される。
また、掛止部１２が口部５の上端縁６に掛止されている掛止部１２を上方に引っ張ることで、この掛止部１２から垂下された飲料パックＰを、いつ何時でも飲料容器Ｂから確実に取り出すことができる。
【００４８】
さらに、飲料パック位置保持装置１０では、掛止部１２に開口１５が設けられているので、飲料パック位置保持装置１０を飲料容器Ｂから取り外すこと無しに飲料容器Ｂ内の液体を取り出すことができる。
よって、被浸潤物Ｃによる液体の調整具合を随時確かめながら、飲料容器Ｂ内の液体を所望の状態に調整することが可能となる。
【００４９】
また、飲料パック位置保持装置１０では、飲料パック位置保持装置１０を飲料容器Ｂに取り付けた際に、掛止部１３が飲料容器Ｂの口部５よりも飲料容器Ｂの内方側に突出した状態で位置している。よって、飲料容器Ｂ内の液体を取り出すために飲料容器Ｂを傾けても、飲料パックＰが掛止部１３に引っ掛かるので、飲料容器Ｂの口部５が飲料パックＰにより塞がれることがない。これにより、飲料容器Ｂ内の液体を、スムーズに取り出すことができる。
【００５０】
本実施の形態における飲料パック位置保持装置１０で、特に好適に使用できる飲料パックとしては、図５に示すような飲料パックが挙げられる。
図５（ａ）及び図５（ｂ）は、本実施の形態における飲料パック位置保持装置１０で好適に使用できる飲料パックの斜視図である。
図５（ｃ）及び図５（ｄ）は、本実施の形態における飲料パック位置保持装置１０で好適に使用できる飲料パックの使用前の状態を説明する説明図である。
【００５１】
図５（ａ）に示す飲料パックＰ’では、被浸潤物Ｃが封入された風袋部２０から伸びる糸２１の先端にＯ−リング２２が設けられている。一方、図５（ｂ）に示す飲料パックＰ”では、風袋部２０から伸びる糸２１の先端に、係合部２３が設けられている。ここで、本実施の形態の係合部２３は、糸の先端を丸めて形成されている。
これらの飲料パックＰ’及びＰ”は、Ｏ−リング２２や係合部２３を、図４に示す飲料パック位置保持装置１０の取付部（切込み）１４にそれぞれ係合させることで、飲料パック位置保持装置１０に取り付けられる。
【００５２】
これら飲料パックＰ’及びＰ”は、各飲料パックの糸同士が絡まることを防止するために、使用前には、糸部２１から先を風袋部２０の周りに巻き付け仮止めされた状態で提供される。
【００５３】
［飲料パック位置保持装置を備えた飲料パック］
次に、飲料パック位置保持装置を備えた飲料パックの好ましい実施態様を説明する。
図６（ａ）、（ｂ）に示すように、本実施の形態における飲料パック位置保持装置１を備えた飲料パック３０は、掛止部３２と、垂下部３３と、風袋部３５とから構成される。
【００５４】
この飲料パック位置保持装置を備えた飲料パック３０の掛止部３２と、垂下部３３は、前述した飲料パック位置保持装置１の掛止部２と、垂下部３と同じ構成であるのでここではその詳細な説明を省略する。
【００５５】
風袋部３５は、不織布や樹脂材料などから構成される筒状体の両端を封止して形成されており、その内部には被浸潤物Ｃが収容されている。この風袋部３５の外径は、飲料容器Ｂからの出し入れが可能となるように、飲料容器Ｂの口部５の開口７の径Ｗよりも小さく設定されている。
【００５６】
この風袋部３５と垂下部３３とは、ホッチキスによる接続、接着剤による接着、そして熱接着等の各種接着技術を利用して固定接続されている。
そして、この飲料パック位置保持装置１を備えた飲料パック３０もまた、飲料パックの糸同士が絡まることを防止するために、使用前には、垂下部３３である糸から上を風袋部３５の周りに巻き付け仮止めされた状態で提供される（図６（ｂ）参照）。
【００５７】
このような構成の飲料パック位置保持装置を備えた飲料パック３０によると、掛止部３２が飲料容器Ｂの口部５の上端縁６に掛止されるので、掛止部３２から垂下された飲料パックＰを、飲料容器内の合理的位置に簡便かつ容易に保持することが出来る。これにより、飲料パックＰが飲料容器Ｂの底に沈降することが防止されるので、被浸潤物Ｃから抽出された成分（養分）が、飲料容器Ｂ内の液の上方から下方に向かって徐々に均一に拡散し、抽出される被浸潤物Ｃの成分（養分）が飲料容器Ｂの下方に集中することを防止できる。
【００５８】
さらに、被浸潤物Ｃの成分（養分）の抽出等が終了した後に、掛止部３２を上方に引っ張るだけで、飲料パックＰを飲料容器Ｂから容易に確実に取り出すことができるので、被浸潤物Ｃの成分（養分）が液体中に過剰に抽出されて、作成された飲料、すなわち嗜好飲料の風味が損なわれることが無くなる。
【００５９】
［飲料パック位置保持装置を備えた飲料容器用キャップ］
次に、飲料パック位置保持装置を備えた飲料容器用キャップの好ましい一実施形態について説明する。
図７（ａ）は、本実施の形態における飲料パック位置保持装置を備えた飲料容器用キャップ４０の説明図、図７（ｂ）は、飲料パック位置保持装置を備えた飲料容器用キャップ４０に飲料パックＰを取り付けた状態を説明する説明図である。図７（ｃ）は、飲料パック位置保持装置を備えた飲料容器用キャップ４０の斜視図である。
【００６０】
図７（ａ）乃至図７（ｃ）に示すように、飲料パック位置保持装置を備えた飲料容器用キャップ４０は、キャップ部４２と、垂下部４３と、取付部４４とから構成される。
【００６１】
キャップ部４２は、垂下部４３と取付部４４とを介して当該キャップ部４２から垂下された飲料パックＰが、飲料容器Ｂの底に沈降して飲料容器Ｂから取り出せなくなるのを防止すると共に、飲料容器Ｂの口部５の開口部７を開閉自在とする。
【００６２】
キャップ部４２は、一端側が天板部４５により閉じられた筒形状を有している。キャップ部４２の天板部４５とは反対側の内周面には、飲料容器Ｂの口部５の外周に設けられた螺合溝８と螺合して、飲料容器Ｂの口部５の開口７を開閉自在にする螺合溝４７が設けられている。
【００６３】
垂下部４３は、天板部４５の裏側に垂設された薄肉の板状体であり、この垂下部４３とキャップ部４２とは、一体に形成されている。そして、前述の飲料パック位置保持装置１０の垂下部１３と同様に、欠き込み部４６が、垂下部４３の長手方向の両側部にそれぞれ設けられている。
取付部４４は、この垂下部４３下端側の側面から略中央部に及んで設けられた切込みである。
【００６４】
このような構成の飲料パック位置保持装置を備えた飲料容器用キャップ４０によると、飲料パック位置保持装置１０と同様に、糸の付いた飲料パックであれば、取付部４４に取り付けて使用することが可能となる。例えば、前述の飲料パックＰ’及びＰ”（図４参照）もまた、使用可能となる
また、飲料容器Ｂ内に飲料パックＰを保持させたままで、飲料容器Ｂに蓋をすることができるので、飲料容器内の飲料の保存性や持ち運び性が向上する。
さらに、垂下部４３から垂下された飲料パックＰの糸を欠き込み部４６に巻き付けることで、飲料パックＰの糸の長さを調節出来るので、飲料パックＰを飲料容器内の合理的位置に保持することが可能となる。その結果、被浸潤物Ｃから抽出された成分（養分）を、飲料容器Ｂ内の液の上方から下方に向かって徐々に均一に拡散させることが可能となり、抽出される被浸潤物Ｃの成分（養分）が飲料容器Ｂの下方に集中することを防止できる。
さらに、被浸潤物Ｃの成分（養分）の抽出等が終了した後に、飲料パックＰの糸を取付部４４および欠き込み部４６から取り外すだけで、飲料パックＰを、飲料パック位置保持装置を備えた飲料容器用キャップ４０から、容易にかつ確実に取り外すことができる。よって、被浸潤物Ｃの成分（養分）が液体中に過剰に抽出されて、作成された飲料、すなわち嗜好飲料の風味が損なわれることが無くなる。
【００６５】
次に、本実施の形態における飲料パック位置保持装置を備えた飲料容器用キャップの他の態様を説明する。
図８（ａ）は、本実施の形態における飲料パック位置保持装置を備えた飲料容器用キャップ５０の説明図、図８（ｂ）は、飲料パック位置保持装置を備えた飲料容器用キャップ５０の斜視図である。
【００６６】
図８（ａ）に示すように、本実施の形態における飲料容器用キャップ５０は、キャップ部５９、キャップ中栓部５２、垂下部５３、取付部５４とから構成される。
【００６７】
この飲料パック位置保持装置を備えた飲料容器用キャップ５０では、キャップ中栓部５２に特徴があり、垂下部５３及び取付部５４は、前述した飲料パック位置保持装置を備えた飲料容器用キャップ４０の垂下部４３及び取付部４４と、それぞれ同じ構成であるので、ここでは垂下部５３及び取付部５４についての詳細な説明を省略する。
【００６８】
キャップ中栓部５２は、飲料パックＰを飲料容器Ｂから取り出すこと無しに、飲料容器Ｂ内の飲料の取り出しを可能にすると共に、キャップ部５９によって飲料容器Ｂの口部５の開口部７を開閉自在とされる。
【００６９】
キャップ中栓部５２の天板部６０には、内側と外部とを連通させる開口部５７が設けられており、キャップ中栓部５２の上側の外周には、前記開口部５７を開閉自在とするキャップ部５９が螺合される螺合溝５８が設けられている。
そして、このキャップ中栓部５２の下側の内周には、飲料容器Ｂの螺合溝８と螺合して、キャップ中栓部５２を飲料容器Ｂに取り付ける螺合溝５６が設けられている。
【００７０】
ここで、キャップ中栓部５２の上側、下側の径、螺合溝等は、口部の径や螺合溝等の規格が統一されている飲料容器及びキャップを、当該キャップ中栓部５２に取り付けることができるように設定されている。
【００７１】
これにより、市販の飲料容器のうち、口部のサイズ（径、螺合溝等）の規格が統一されている飲料容器であれば、形状や容量に関係なく、本発明に係る飲料パック位置保持装置を備えた飲料容器用キャップを用いることが可能となる。
【００７２】
このような構成の飲料パック位置保持装置を備えた飲料容器用キャップ５０によると、キャップ中栓部５２には開口部５７が設けられているので、液体の飲料容器Ｂからの取り出しは、飲料パックＰを飲料容器Ｂから取り出さずに行える。この際、垂下部５３は板形状を有しているので、注ぎ口として利用されている開口部５７の反対側の開口部は、空気導入口として働く。よって、飲料容器Ｂから液体を取り出す際に、液体が脈動することを防止できる。
また、このような構成の飲料パック位置保持装置を備えた飲料容器用キャップ５０では、キャップ中栓部５２を飲料容器Ｂに取り付けた際に、掛止部５３が飲料容器Ｂの口部５よりも飲料容器Ｂの内方側に突出した状態で位置している。よって、飲料容器Ｂ内の液体を取り出すために飲料容器Ｂを傾けても、飲料パックＰが掛止部５３に引っ掛かるので、飲料容器Ｂの口部５が飲料パックＰにより塞がれることがない。これにより、飲料容器Ｂ内の液体を、スムーズに取り出すことができる。
このような作用・効果が、前述の飲料パック位置保持装置を備えた飲料容器用キャップ４０における作用・効果に加えて、飲料パック位置保持装置を備えた飲料容器用キャップ５０においてもたらされることになる。
【００７３】
このように、本発明に係る飲料パック位置保持装置を備えた飲料容器用キャップの好ましい実施態様を説明した。
これら飲料パック位置保持装置を備えた飲料容器用キャップ４０，５０を構成する各部の素材は、ＰＥＴ、ポリスチレン等の各種樹脂材料や、鉄、アルミニウム、ステンレス等の各種金属材料、そして耐水処理の施された紙等、耐水性、耐熱性に優れた材料で、飲料用の液体と接しても人体に影響を与えることの無い素材で構成されれば適宜選択可能である。
【００７４】
［飲料容器用簡易ドリップ］
次に、本発明に係る飲料容器用簡易ドリップの好ましい態様について説明する。
図９（ａ）は、本実施の形態における飲料容器用簡易ドリップ１００の断面図、図９（ｂ）は、本実施の形態における飲料容器用簡易ドリップ１００上面図である。
【００７５】
図９（ａ）に示すように、本実施の形態における飲料容器用簡易ドリップ１００は、載置部１０１と、取付部１０２とから構成される。
【００７６】
載置部１０１では、当該載置部１０１に載置された被浸潤物Ｃや被浸潤物Ｃが封入された飲料パックＰ（以下、被浸潤物Ｃ等という）から、被浸潤物Ｃの成分（養分）が抽出された液体や、被浸潤物により所望の処理が施された液体が調整される。
【００７７】
載置部１０１は、被浸潤物Ｃ等が載置されると共に、被浸潤物Ｃを利用して所望の液体を調整するために注がれた液体が、当該載置部１０１内に保持されるように、上方から下方に行くに従って径が狭くなるすり鉢形状を有している。すなわち、本実施の形態における載置部１０１は、断面視略円錐台形状となっている。
尚、この載置部１０１の形状は、載置部１０１に注がれた液体が当該載置部１０１内に保持される形状で有れば、この形状に限定されるものではなく、例えば楕円錐台形状、多角錐台形状、などの種々の形態が採用可能である。
【００７８】
取付部１０２は、載置部１０１と連絡される飲料容器Ｂに所望の処理が施された液体を充填するために、飲料容器用簡易ドリップ１００と飲料容器Ｂとを強固に接続する。
【００７９】
取付部１０２は、載置部１０１の下端に位置しており、当該載置部１０１と一体に成型されている。この取付部１０２の内側には、飲料容器Ｂの口部５の外周に設けられた螺合溝８と螺合して、載置部１０１を飲料容器Ｂに対して取り付ける螺合溝１０３が設けられている。
この取付部１０２の天板部１０４には、載置部１０１と取付部１０２の内側とを連通させる開口部１０５が設けられている。
【００８０】
尚、この開口部１０５の形状は、載置部１０１と取付部１０２の内側とを連通させることができる形状で有れば適宜選択可能である。
例えば、開口部１０５の形状を、図９（ｂ）に示すような複数の小径の孔１０７から成る構成、図９（ｃ）に示すスリットとする構成、図９（ｄ）に示す格子とする構成などが採用可能である。
【００８１】
また、任意の目開きを有するテフロン（Ｒ）フィルターやステンレス金網フィルター等を開口部１０５の全面にわたって備えた構成とすることも可能である。このような構成にすると、被浸潤物Ｃが飲料パックＰに充填されていない場合であっても、内容物Ｃを載置部１０１に直接搭載し、そこに液体を注ぐことで、所望の処理が施された溶液を調整することができる。
また、開口部１０５の形状も円形に限定されるものではなく、楕円形や多角形など適宜採用可能である。
【００８２】
このような構成の飲料容器用簡易ドリップ１００によると、飲料容器用簡易ドリップ１００が取付部１０２を介して飲料容器Ｂに螺合固定されるので、飲料容器用簡易ドリップ１００は飲料容器Ｂに対して強固に接続される。これにより、被浸潤物Ｃから所望の液体の調整を行う際の飲料容器用簡易ドリップ１００の設置安定性が優れることになる。
また、飲料容器Ｂがペットボトルである場合には、ペットボトルの口部の形状は規格が統一されているので、調整された液体、すなわち飲料を、ペットボトルの大きさに拘わらず、ペットボトル内に充填することができる。
【００８３】
以上、説明した飲料容器用簡易ドリップ１００では、螺合溝１０３が取付部１０２の内側に設けられた構成となっている。しかしながら、この螺合溝１０３を設ける位置はこの構成に限定されるものではない。
例えば、図１０に示す飲料容器用簡易ドリップのように、螺合溝１０３を取付部１０２の外側に設けた構成とすることも可能である。
このような構成の飲料容器用簡易ドリップ１００は、口部４の内側に螺合溝８が形成されている飲料容器Ｂ’、例えば水筒に好適に使用できる。
【００８４】
さらに、本発明に係る飲料容器簡易ドリップの他の態様を説明する。
図１１は、本実施の形態における飲料容器用簡易ドリップの断面図である。図１２は、本実施の形態における飲料容器用簡易ドリップの斜視図である。
【００８５】
図１１および図１２に示すように、飲料容器用簡易ドリップ１１０は、載置部１１１と、取付部１１２と、掛止部１１３とから構成される。
載置部１１１と取付部１１２とは、前述の載置部１０１及び取付部１０２と同様の構成であるのでここではその説明を省略する。
【００８６】
掛止部１１３は、飲料容器Ｂ”の上端縁５’の全面で掛止され、飲料容器用簡易ドリップ１１０を、飲料容器Ｂ”に載置する。
【００８７】
掛止部１１３は、螺合部１１６と台座１１７とから構成されており、載置部１１１及び取付部１１２とは別体として設けられている。
螺合部１１６は、開口部１１８を備える円筒形状を有しており、台座１１７のほぼ中央部から上方に突出させた状態で、台座１１７に設けられている。
螺合部１１６の外周上には、取付部１１２の螺合溝１１４と螺合して、掛止部１１３と取付部１１２とを接続する螺合溝１１９が設けられている。
【００８８】
掛止部１１３は、略円盤形状を有しており、掛止部１１３の上側と下側とを連通させる連通孔１２０を有している。
掛止部１１３は、使用に際して飲料容器Ｂ”の上端縁５’に載置され、飲料容器Ｂ”の上端縁５’ので掛止される形状であれば特に限定されるものではない。この掛止部１１３の略中央部に位置する螺合部１１６は、この掛止部１１３と取付部１１２とが接続された際に、載置部１１１と飲料容器Ｂ”とが連通されるように、中空に形成された開口部１１８を備えている。
【００８９】
このような構成の飲料容器用簡易ドリップ１１０によると、飲料容器に螺合溝が設けられていない場合でも、飲料容器の上側の縁が水平となっている飲料容器であれば、飲料容器用簡易ドリップ１１０を簡単に載置することが可能となり、所望の処理の施された液体の調整が可能となる。
また、台座１１７の直径が異なる掛止部１１３を、複数種類用意しておくことで、飲料容器の大きさに応じて使用する掛止部１１３を選択することが出来る。これにより、飲料容器用簡易ドリップ１１０は、種々の大きさの飲料容器に載置させて、使用することが可能となる。
【００９０】
尚、以上説明した飲料容器用簡易ドリップ１００、１１０の各部の素材は、前述の飲料パック位置保持装置の場合と同様に、ＰＥＴ、ポリスチレン等の各種樹脂材料や、鉄、アルミニウム、ステンレス等の各種金属材料、そして耐水処理の施された紙等、耐水性、耐熱性に優れる材料であって、飲料用の液体と接しても人体に影響を与えることのないものであれば適宜選択可能である。
【００９１】
図９および図１１にそれぞれ示すように、このような構成の飲料容器用簡易ドリップ１００、１１０では、被浸潤物Ｃ等を載置部１０１、１１１に載置し、この載置部１０１、１１１に液体を注ぐと、被浸潤物Ｃにより所望の処理が施された液体が調整される。
そして、調整された液体は、取付部１０２、１１２の開口部１０５、１１５を通って、取付部１０２と接続された飲料容器Ｂ若しくは取付部１１２の下端に接続された掛止部１１３が載置された飲料容器Ｂ”内に注がれる。この時、取付部１０２、の上側の側面には連通孔１０６が、掛止部１１３には連通孔１２０がそれぞれ設けられているので、所望の処理が施された液体は、飲料容器Ｂ若しくは飲料容器Ｂ”内にスムーズに注がれる。
【００９２】
このような構成の飲料容器用簡易ドリップ１００、１１０によると、飲料容器の形状に応じた飲料容器用簡易ドリップを使用して、所望の処理が施された液体を簡便に調整し、簡便に飲料容器に充填することができる。
【００９３】
［飲料容器用簡易ドリップを備えた飲料容器］
次に、本発明に係る飲料容器用簡易ドリップを備えた飲料容器の好ましい態様について説明する。
図１３は、本実施の形態における飲料容器用簡易ドリップを備えた飲料容器の分解断面図、図１４は、本実施の形態における飲料容器用簡易ドリップを備えた飲料容器の非使用時の状態を表す概略図である。
【００９４】
図１３に示すように、本実施の形態における飲料容器用簡易ドリップを備えた飲料容器１３０は、飲料容器用簡易ドリップ１３１と、収容部１３２と、飲料容器１３３とから構成される。
【００９５】
飲料容器用簡易ドリップ１３１は、前述の飲料容器用簡易ドリップ１００と同一の構成を有し、同様の作用・効果が得られるのものであるので、ここではその説明を省略する。
【００９６】
収容部１３２は、飲料容器１３３内の液体、すなわち飲料を飲む際に、コップとして使用されると共に、飲料容器１１３を使用しないときには、飲料容器用簡易ドリップ１３１を内側に収容する。
収容部１３２は、一端側が閉じられた略円筒形状を有しており、当該円筒の開口１４１側の内周には、飲料容器１３３の外周に設けられた螺合溝１４３と螺合する螺合溝１４２が設けられている。
この収容部１３２の容量は、この収容部１３２の螺合溝１４２が、飲料容器１３３の螺合溝１４３に螺合されて、飲料容器１３２と収容部１３２とが一体となった際に、この収容部１３２の内部に前述の飲料容器用簡易ドリップ１３１を収容することのできる容量を有していることが好ましい。
【００９７】
飲料容器１３３は、所望の処理が施された液体を貯留する水筒として用いられる。
【００９８】
図１３に示すように、飲料容器１３３は、小径の口部１４０、当該口部１４０から下方に行くに従って徐々に径が広がる円錐台部１４４、当該円錐台部１４４の下端から下側に延出する円柱部１４５、そしてキャップ１４６から構成される。
【００９９】
口部１４０の外周には、飲料容器用簡易ドリップ１３１の取付部１３５の螺合溝１３６に螺合する螺合溝１４１が設けられており、円柱部１４５の上端にもまた同様に、前述の収容部１３２の螺合溝１４２と螺合する螺合溝１４３が設けられている。
【０１００】
このような構成の飲料容器用簡易ドリップを備えた飲料容器１３０では、非使用時には、図１４に示すように、飲料容器１３０内に収容部１３２の内側に飲料容器用簡易ドリップ１３１を収容することができるので、飲料容器用簡易ドリップ１３１が、収容部１３２に収容された状態で、飲料容器１３０を持ち運ぶことができる。
そして、使用時には、飲料容器１３３から収容部１３２を外して、収容部１３２をコップとして使用できる。
また、飲料容器用簡易ドリップ１３１を飲料容器１３３に取り付け、載置部１３４に所望の飲料パックＰを載置し、そこに液体を注ぐと、所望の成分を含む液体の飲料容器１３３へ充填することができる。
よって、好きな時に、所望の処理が施された液体を調整し、飲料容器１３３内に充填し、貯留することができる。
【０１０１】
【発明の効果】
以上説明したように、本発明に係る飲料パック位置保持装置によると、掛止部が飲料容器の口部の上端縁の全面で掛止されるので、この掛止部から垂下部及び取付部を介して垂下される飲料パックが飲料容器内の合理的位置（被浸潤物が封入された飲料パックが、飲料容器の口部から所定距離下方側に位置する。）に保持される。
【０１０２】
また、被浸潤物の成分（養分）の抽出等が終了した後に、飲料パックを飲料容器から容易且つ確実に、いつ何時でも取り出すことができるので、内容物の成分（養分）が液体中に過剰に抽出されて、作成された飲料の風味を損なうことが無くなる。
【０１０３】
また、本発明に係る飲料パック位置保持装置を備えた飲料容器用キャップによると、飲料容器内に飲料パックを保持させたままで、飲料容器に蓋をすることができるので、前述の飲料パック位置保持装置と同様の作用・効果に加えて、飲料容器内の飲料の保存性や持ち運び性が向上する。
【０１０４】
さらに、本発明に係る飲料容器用簡易ドリップ及びこれを備えた飲料容器によると、飲料容器用簡易ドリップを飲料容器に螺合固定し、被浸潤物を載置部に載置して、液体を注ぐと、被浸潤物から成分（養分）が抽出された液体や、被浸潤物により所望の処理が施された液体が調整され、飲料容器内に充填することができる。一方、飲料容器用簡易ドリップを使用しない時には、飲料容器用簡易ドリップを内側に収容した状態で、収容部を飲料容器に螺合固定することができるので、飲料容器の持ち運びが簡便になる。その結果、好きな時に好きな場所で、所望の成分（養分）を含んだ液体、すなわち飲料を作成し、そして嗜むことができる。
【図面の簡単な説明】
【図１】（ａ）は、本実施の形態における飲料パック位置保持装置の説明図である。
（ｂ）は、本実施の形態における飲料パック位置保持装置に飲料パックＰを取り付けた状態を表す説明図である。
【図２】（ａ）及び（ｂ）は、本実施の形態における飲料パック位置保持装置を備えた飲料パックの使用状態を説明する説明図である。
【図３】（ａ）は、本実施の形態における飲料パック位置保持装置に好適に使用される飲料パックの一例を示す説明図である。
（ｂ）は、（ａ）に示す飲料パックの使用状態を表す説明図である。
【図４】（ａ）は、本実施の形態における飲料パック位置保持装置１０の説明図である。
（ｂ）は、本実施の形態における飲料パック位置保持装置１０の上面図である。
（ｃ）は、本実施の形態における飲料パック位置保持装置１０の使用状態を説明する説明図である。
【図５】（ａ）及び（ｂ）は、本実施の形態における飲料パック位置保持装置１０で好適に使用できる飲料パックの斜視図である。
（ｃ）及び（ｄ）は、本実施の形態における飲料パック位置保持装置１０で好適に使用できる飲料パックの使用前の状態を説明する説明図である。
【図６】飲料パック位置保持装置を備えた飲料パックの斜視図である。
【図７】（ａ）は、本実施の形態における飲料パック位置保持装置を備えた飲料容器用キャップ４０の説明図である。
（ｂ）は、飲料パック位置保持装置を備えた飲料容器用キャップ４０に飲料パックＰを取り付けた状態を説明する説明図である。
（ｃ）は、飲料パック位置保持装置を備えた飲料容器用キャップ４０の斜視図である。
【図８】（ａ）は、本実施の形態における飲料パック位置保持装置を備えた飲料容器用キャップ５０の説明図である。
（ｂ）は、飲料パック位置保持装置を備えた飲料容器用キャップ５０の斜視図である。
【図９】（ａ）は、飲料容器用簡易ドリップ１００の断面図である。
（ｂ）は、飲料容器用簡易ドリップ１００上面図である。
（ｃ）は、取付部１０２の開口部１０５の形状の例を示す説明図である。
（ｄ）は、取付部１０２の開口部１０５の形状の他の例を示す説明図である。
【図１０】他の実施の形態における飲料容器用簡易ドリップの断面図である。
【図１１】飲料容器用簡易ドリップの断面図である。
【図１２】飲料容器用簡易ドリップの斜視図である。
【図１３】飲料容器用簡易ドリップを備えた飲料容器の分解断面図
【図１４】飲料容器用簡易ドリップを備えた飲料容器の非使用時の状態を表す概略図
【符合の説明】
１、１０・・・飲料パック位置保持装置
２、１２・・・掛止部
３、１３・・・垂下部
４、１４・・・取付部
Ｂ・・・・・・飲料容器
Ｐ、Ｐ’、Ｐ”・飲料パック
Ｃ・・・・・・被浸潤物
５・・・・・・口部
６・・・・・・上端縁
７・・・・・・開口部
８・・・・・・螺合部
９・・・・・・キャップ
１５・・・・・・開口
１６・・・・・・欠き込み部
２０・・・・・・風袋部
３０・・・・・・飲料パック位置保持装置を備えた飲料パック
３２・・・・・・掛止部
３３・・・・・・垂下部
３５・・・・・・風袋部
４０、５０・・・飲料パック位置保持装置を備えた飲料容器用キャップ
４２・・・・・・キャップ部
４３、５３・・・垂下部
４４、５４・・・取付部
４５・・・・・・天板部
４６・・・・・・欠き込み部４６
４７・・・・・・螺合溝
５２・・・・・・キャップ中栓部
１００、１１０・飲料容器用簡易ドリップ
１０１、１１１・載置部
１０２、１１２・取付部
１０３・・・・・螺合溝
１０４・・・・・天板部
１０５・・・・・開口部
１１３・・・・・掛止部
１３０・・・・・飲料容器用簡易ドリップを備えた飲料容器
１３１・・・・・飲料容器用簡易ドリップ
１３２・・・・・収容部
１３３・・・・・飲料容器
【図１】
2004267668.tif 000003
【図２】
2004267668.tif 000004
【図３】
2004267668.tif 000005
【図４】
2004267668.tif 000006
【図５】
2004267668.tif 000007
【図６】
2004267668.tif 000008
【図７】
2004267668.tif 000009
【図８】
2004267668.tif 000010
【図９】
2004267668.tif 000011
【図１０】
2004267668.tif 000012
【図１１】
2004267668.tif 000013
【図１２】
2004267668.tif 000014
【図１３】
2004267668.tif 000015
【図１４】
2004267668.tif 000016